(57)【要約】      （修正有）【課題】花弁の反り返りや、花首の曲がりを防止することができる花冠保護具を提供する。【解決手段】花冠保護具１０は、周縁部から中央部に向かい被覆用切込み１１Ａが形成された薄板状の被覆体１１を備えている。被覆体１１の中央部には、被覆用切込み１１Ａの中央側端部から周縁側に向かい、周縁部に達しない少なくとも１つの茎用切込み１１Ｇが形成されている。被覆体１１は、例えば、被覆用切込み１１Ａを挟んで両側の重ね合わせ領域１１Ｂ，１１Ｃを重ね合わせることにより、一方から他方に向かって拡大する傾斜部を有すると共に、一方の端部に茎用切込み１１Ｇが形成された中空状体を形成することができるように構成されている。【選択図】図１
2015074470.tif 000002
【特許請求の範囲】
【請求項１】
花冠を被覆する花冠保護具であって、
一方から他方に向かって拡大する傾斜部を有すると共に、一方の端部及び他方の端部に開口部を有する中空状体を備え、
前記中空状体の一方の端部には、他方の端部に達しない少なくとも１つの茎用切込みが形成された
ことを特徴とする花冠保護具。
【請求項２】
花冠を被覆する花冠保護具であって、
薄板状の被覆体を備え、
この被覆体は、周縁部から中央部に向かい形成された被覆用切込みを有し、この被覆用切込みを挟んで両側の重ね合わせ領域を重ね合わせることにより、一方から他方に向かって拡大する傾斜部を有する中空状体を形成可能であり、
前記被覆体の中央部には、周縁部に達しない少なくとも１つの茎用切込みが形成された
ことを特徴とする花冠保護具。
【請求項３】
花冠を被覆する花冠保護具であって、
薄板状の被覆体を備え、
この被覆体は、中央部から周縁部の一部が切り取られた切取部を有し、この切取部の両側を繋ぎ合わせることにより、一方から他方に向かって拡大する傾斜部を有する中空状体を形成可能であり、
前記被覆体の中央部には、周縁部に達しない少なくとも１つの茎用切込みが形成された
ことを特徴とする花冠保護具。
【請求項４】
前記茎用切込みの長さは、１ｍｍから２０ｍｍの範囲内であることを特徴とする請求項１から請求項３のいずれか１に記載の花冠保護具。
【請求項５】
前記茎用切込みの数は、１本から２０本の範囲内であることを特徴とする請求項１から請求項４のいずれか１に記載の花冠保護具。
【請求項６】
前記中空状体の他方の端部の少なくとも一部を覆うことが可能な蓋部を備えたことを特徴とする請求項１から請求項５のいずれか１に記載の花冠保護具。
【発明の詳細な説明】
【技術分野】
【０００１】
本発明は、花冠を保護する花冠保護具に関する。
【背景技術】
【０００２】
ガーベラやバラ等は、時間が経過すると花弁が反り返って見た目が悪くなってしまう。また、時間の経過と共にしおれてしまうと、花首が曲がってしまい、水を吸い上げが弱くなるので、花冠の寿命が短くなってしまう。ユリ等の花冠が大きいものも、花首が曲がってしまうので、同様に花冠の寿命が短くなってしまう。
【０００３】
よって、花弁の反り返りや、花首の曲がりを防止することができる花冠保護具の開発が望まれていた。
【先行技術文献】
【特許文献】
【０００４】
【特許文献１】特開２００３−２４６３８５号公報
【発明の概要】
【発明が解決しようとする課題】
【０００５】
本発明は、このような問題に基づきなされたものであり、花弁の反り返りや、花首の曲がりを防止することができる花冠保護具を提供することを目的とする。
【０００６】
なお、特許文献１には、搬送の際に花冠が傷つくのを防止すると共に、容易に装着および取り除きができるガーベラ花冠保護具が提案されている。しかしながら、本発明とは、目的および構成が異なっている。
【課題を解決するための手段】
【０００７】
本発明の第１の花冠保護具は、花冠を被覆するものであって、一方から他方に向かって拡大する傾斜部を有すると共に、一方の端部及び他方の端部に開口部を有する中空状体を備え、中空状体の一方の端部には、他方の端部に達しない少なくとも１つの茎用切込みが形成されたものである。
【０００８】
本発明の第２の花冠保護具は、花冠を被覆するものであって、薄板状の被覆体を備え、この被覆体は、周縁部から中央部に向かい形成された被覆用切込みを有し、この被覆用切込みを挟んで両側の重ね合わせ領域を重ね合わせることにより、一方から他方に向かって拡大する傾斜部を有する中空状体を形成可能であり、被覆体の中央部には、周縁部に達しない少なくとも１つの茎用切込みが形成されたものである。
【０００９】
本発明の第３の花冠保護具は、花冠を被覆するものであって、薄板状の被覆体を備え、この被覆体は、中央部から周縁部の一部が切り取られた切取部を有し、この切取部の両側を繋ぎ合わせることにより、一方から他方に向かって拡大する傾斜部を有する中空状体を形成可能であり、被覆体の中央部には、周縁部に達しない少なくとも１つの茎用切込みが形成されたものである。
【発明の効果】
【００１０】
本発明の花冠保護具によれば、中空状体の一方の端部に他方の端部に達しない少なくとも１つの茎用切込みを形成するようにしたので、又は、被覆体の中央部に周縁部に達しない少なくとも１つの茎用切込みを形成するようにしたので、茎に取り付けた際に、茎用切込みにより中空状体が下にずり落ちないように固定することができる。よって、中空状体により花首を補強して花冠を支えることができ、花首が曲がって水の吸い上げが弱くなることを防止することができると共に、花弁の反り返りを抑制することができる。従って、花冠を長持ちさせることができる。
【００１１】
特に、茎用切込みの長さを１ｍｍから２０ｍｍの範囲内とするようにすれば、又は、茎用切込みの数を１本から２０本の範囲内とするようにすれば、より高い効果を得ることができる。
【図面の簡単な説明】
【００１２】
【図１】本発明の第１の実施の形態に係る花冠保護具の構成を表す図である。
【図２】図１に示した花冠保護具を組み立てた状態を表す図である。
【図３】図１に示した花冠保護具により花冠を被覆した状態を表す図である。
【図４】本発明の第２の実施の形態に係る花冠保護具の構成を表す図である。
【発明を実施するための形態】
【００１３】
以下、本発明の実施の形態について、図面を参照して詳細に説明する。
【００１４】
（第１の実施の形態）
図１は、本発明の第１の実施の形態に係る花冠保護具１０の構成を表わすものである。図２は、花冠保護具１０を組み立てた状態を表すものである。図３は、花冠保護具１０を茎に取り付けた状態を表すものである。この花冠保護具１０は、花冠を保護するものであり、例えば、薄板状の被覆体１１を備えている。被覆体１１は、例えば、プラスチック、紙、ダンボール、又は、防水加工紙により構成されている。
【００１５】
被覆体１１には、周縁部から中央部に向かい被覆用切込み１１Ａが形成されている。被覆体１１は、例えば、この被覆用切込み１１Ａを挟んで両側の重ね合わせ領域１１Ｂ，１１Ｃを重ね合わせることにより、図２に示したように、一方から他方に向かって拡大する傾斜部１２Ａを有すると共に、他方の端部に開口部を有する中空状体１２を形成することができるように構成されている。
【００１６】
被覆体１１の重ね合わせ領域１１Ｂ，１１Ｃには、例えば、重なり合う位置に対応して、組立用切込み１１Ｄ，１１Ｅがそれぞれ形成されていることが好ましい。一方の組立用切込み１１Ｄは、例えば、被覆用切込み１１Ａから離間した位置において、被覆用切込み１１Ａから離間する方向に向い突出するように切り込んで形成されている。他方の組立用切込み１１Ｅは、例えば、重ね合わせた時に、一方の組立用切込み１１Ｄを挿入することができる方向に直線状に切り込んで形成されている。これにより、重ね合わせ領域１１Ｂ，１１Ｃを重ね合わせて、一方の組立用切込み１１Ｄを他方の組立用切込み１１Ｅの中に挿入することにより、重ね合わせ領域１１Ｂ，１１Ｃを重ね合わせた状態に保持し、被覆体１１を中空状体１２に組み立てることができるようになっている。
【００１７】
また、一方の組立用切込み１１Ｄの少なくとも一方の端部には、例えば、角部を形成するように切り込まれた係止用切り込み１１Ｆが形成されていることが好ましい。係止用切込み１１Ｆを周縁側の端部に形成する場合には、例えば、端部から中央側に向かい切り込まれていることが好ましく、また、中央側の端部に形成する場合には、例えば、端部から周縁側に向かい切り込まれていることが好ましい。一方の組立用切込み１１Ｄを他方の組立用切込み１１Ｅに挿入した際に、他方の組立用切込み１１Ｅが係止用切込み１１Ｆに引っ掛かり、一方の組立用切込み１１Ｄを抜けにくくすることができるからである。
【００１８】
なお、図１では、組立用切込み１１Ｄを１つ、組立用切込み１１Ｅを複数形成する場合について示したが、どちらも１つずつとしてもよく、また、組立用切込み１１Ｄを複数形成し、組立用切込み１１Ｅを１つ形成するようにしてもよく、また、どちらも複数形成するようにしてもよい。花の種類や大きさに合わせて中空状体１２の傾斜部１２Ａの傾斜角度を調節することができるようにするためである。組立用切込み１１Ｄ，１１Ｅの数は、例えば、１個から１０個程度とすることが好ましい。
【００１９】
また、重ね合わせ領域１１Ｂ，１１Ｃを重ね合わせた状態に保持する方法として、図示しないが、組立用切込み１１Ｄ，１１Ｅに変えて、シールを用いてもよい。シールは、例えば、重ね合わせ領域１１Ｂ，１１Ｃの少なくとも一部に予め取り付けられていてもよく、また、被覆体１１とは別に設けられており、重ね合わせ領域１１Ｂ，１１Ｃを重ね合わせたのち、それらを留めるようにシールを張り付けるようにしてもよい。
【００２０】
被覆体１１の中央部には、例えば、被覆用切込み１１Ａの中央側端部から周縁側に向かい、周縁部に達しない少なくとも１つの茎用切込み１１Ｇが形成されている。すなわち、
重ね合わせ領域１１Ｂ，１１Ｃを重ね合わせると、中空状体１２の一方の端部に、他方の端部に達しない少なくとも１つの茎用切込み１１Ｇが形成されるようになっている。この茎用切込み１１Ｇは、切込み部分が開くことにより、中空状体１２の一方の端部に茎を入れるための開口部を形成するようになっている。また、茎用切込み１１Ｇは、被覆体１１、すなわち中空状体１２を茎に取り付けた際に、中空状体１２が下にずり落ちないように固定するためのものである。
【００２１】
茎用切込み１１Ｇの数は、１本から２０本の範囲内であることが好ましく、２本から２０本の範囲内であればより好ましく、５本から１５本の範囲内であれば更に好ましい。茎用切込み１１Ｇの長さは、１ｍｍから２０ｍｍの範囲内であることが好ましく、３ｍｍから１５ｍｍの範囲内であればより好ましい。これらの範囲内においてより高い効果を得ることができるからである。茎用切込み１１Ｃが複数設けられている場合、それらの長さは全て同一でもよいが、異なる長さのものを設けることが好ましい。固定する効果がより高くなるからである。
【００２２】
被覆体１１の外形は、例えば円形であり、周縁部に波型や花びら型などの装飾が施されていてもよい。被覆体１１の大きさは、花冠の大きさに応じて選択されるが、例えば、直径が５ｃｍから１０ｃｍ程度であることが好ましい。なお、被覆体１１は、花冠の全体を覆う必要はなく、外側の花弁の下側までを覆うようにすれば、花弁の反り返りを抑制することができるので好ましい。また、被覆体の外形は、円形に限らず、例えば、正三角形、正四角形、ひし型、なみだ型、二等辺三角形、台形、楕円形、花びら型、又は、ハート型でもよく、周縁部には波型や花びら型などの装飾が施されていてもよい。被覆体１１は、例えば、花冠が見えるように透明であることが好ましく、無色でも、色がついていても、模様がついていてもよい。
【００２３】
この花冠保護具１０は、例えば、図３に示したように、被覆体１１の被覆用切込み１１Ａの中央部に茎を入れ、重ね合わせ領域１１Ｂ，１１Ｃを重ね合わせ、一方の組立用切込み１１Ｄを他方の組立用切込み１１Ｅに挿入して、中空状体１２に組み立てる。これにより、例えば、花首から外側の花弁の少なくとも下側までを中空状体１２で覆い、花首を補強して花冠を支えるとともに、花弁の反り返りを抑制する。また、中空状体１２により外側の花弁を支えれば、内側の花弁は、外側の花弁により支えられるので、花弁全体が支えられる。
【００２４】
このように本実施の形態によれば、被覆体１１の中央部に周縁部に達しない少なくとも１つの茎用切込み１１Ｇを形成し、中空状体１２の一方の端部に他方の端部に達しない少なくとも１つの茎用切込み１１Ｇを形成するようにしたので、茎に取り付けた際に、茎用切込み１１Ｇにより中空状体１２が下にずり落ちないように固定することができる。よって、中空状体１２により花首を補強して花冠を支えることができ、花首が曲がって水の吸い上げが弱くなることを防止することができると共に、花弁の反り返りを抑制することができる。従って、花冠を長持ちさせることができる。
【００２５】
特に、茎用切込み１１Ｇの長さを１ｍｍから２０ｍｍの範囲内とするようにすれば、又は、茎用切込み１１Ｇの数を１本から２０本の範囲内とするようにすれば、より高い効果を得ることができる。
【００２６】
（第２の実施の形態）
図４は、本発明の第２の実施の形態に係る花冠保護具２０の構成を表わすものである。この花冠保護具２０は、被覆体２１が、第１の実施の形態で説明した被覆用切込み１１Ａに変えて、中央部から周縁部の一部が切り取られた切取部２１Ａを有するように構成したものである。被覆体２１は、例えば、薄板状であり、切取部２１Ａの両側をつなぎ合わせることにより、第１の実施の形態と同様に、一方から他方に向かって拡大する傾斜部を有すると共に、他方の端部に開口部を有する中空状体を形成することができるように構成されている。
【００２７】
被覆体２１には、例えば、切取部２１Ａの両側をつなぎ合わせるための結合部２１Ｂが設けられている。結合部２１Ｂは、例えば、切取部２１Ａの両側の対応する位置に突出して設けられた突出部２１Ｃ，２１Ｄを有しており、突出部２１Ｃ，２１Ｄにそれぞれ設けられた結合用切込み２１Ｅ，２１Ｆを組み合わせることにより、結合することがでるように構成されている。また、切取部２１Ａの両側をつなぎ合わせる方法としては、図示しないが、結合部２１Ｂに変えて、シールを用いるようにしてもよい。
【００２８】
被覆体２１の中央部には、第１の実施の形態と同様に、茎用切込み２１Ｇが形成されており、中空状体の一方の端部に、他方の端部に達しない少なくとも１つの茎用切込み２１Ｇが形成されるようになっている。茎用切込み２１Ｇの構成は、第１の実施の形態で説明した茎用切込み１１Ｇと同様である。
【００２９】
被覆体２１の形状は、例えば、扇型であり、周縁部に波型や花びら型などの装飾が施されていてもよい。被覆体１１の大きさは、花冠の大きさに応じて選択されるが、例えば、中央部から周縁部までの長さが２．５ｃｍから５ｃｍ程度であることが好ましい。また、被覆体の形状は、扇形に限らず、例えば、三角形、四角形、なみだ型、花びら型、又は、ハート型でもよく、周縁部には波型や花びら型などの装飾が施されていてもよい。そのほか、被覆体２１の材質等については、第１の実施の形態で説明した被覆体１１と同様である。
【００３０】
このように、本実施の形態によっても、第１の実施の形態と同様の効果を得ることができる。
【００３１】
以上、実施の形態を挙げて本発明を説明したが、本発明は上記実施の形態に限定されるものではなく、種々変形可能である。例えば、上記実施の形態では、被覆体１１の重ね合わせ領域１１Ｂ，１１Ｃを重ね合わせることにより中空状体１２を形成するように、又は、被覆体２１の切取部２１Ａの両側をつなぎ合わせることにより中空状体を形成するようにしたが、他の方法により中空状体を形成するようにしてもよい。他の方法により中空状体を形成しても、上述したように、一方の端部に、他方の端部に達しない少なくとも１つの茎用切込みを形成するようにすれば、同様の効果を得ることができる。
【００３２】
また、上記実施の形態では、中空状体１２の他方の端部を覆わずに、開口した状体とした場合について説明したが、中空状体１２の他方の端部の少なくとも一部を覆うことが可能な蓋部を設けるようにしてもよい。このように構成すれば、花冠の全体を保護することができ、贈答用などに好ましく用いることができる。
【産業上の利用可能性】
【００３３】
花冠を被覆する包装体に用いることができる。
【符号の説明】
【００３４】
１０…花冠保護具、１１…被覆体、１１Ａ…被覆用切込み、１１Ｂ，１１Ｃ…重ね合わせ領域、１１Ｄ，１１Ｅ…組立用切込み、１１Ｆ…係止用切込み、１１Ｇ…茎用切込み、１２…中空状体、２０…花冠保護具、２１…被覆体、２１Ａ…切取部、２１Ｂ…結合部、２１Ｃ，２１Ｄ…突出部、２１Ｅ，２１Ｆ…結合用切込み、２１Ｇ…茎用切込み
【図１】
2015074470.tif 000003
【図２】
2015074470.tif 000004
【図３】
2015074470.tif 000005
【図４】
2015074470.tif 000006